(57)【要約】【課題】  複数の類似形状の翼桁を組み立てる際に有効に利用することができ、治具製作費を格段に低減させることができる翼桁組立治具を提供する。【解決手段】  桁ウェブＷと桁フランジＦとリブＲとを有する翼桁を組み立てるための翼桁組立治具１において、所定の軸方向に直線状に延在するように構成された基台１０と、基台１０上に前記軸方向に沿って複数配置され桁ウェブＷ及び桁フランジＦの一部とリブＲとを保持する部品保持部２０と、を備える。部品保持部２０は、架台２１と、架台２１に取り付けられた面板２２と、架台２１に対する桁ウェブＷ及び桁フランジＦの位置決め及び固定を行う第１の位置決め固定手段と、面板２２に対するリブＲの位置決め及び固定を行う第２の位置決め固定手段と、を有する。【選択図】図１
2005153102.tif 000002
【特許請求の範囲】
【請求項１】
長尺狭幅薄板状の桁ウェブと、この桁ウェブの幅方向両端部に取り付けられる桁フランジと、前記桁ウェブの一方の面にウェブ長手方向に沿って所定の間隔をおいて複数取り付けられるリブと、を有する翼桁を組み立てるための翼桁組立治具において、
所定の軸方向に直線状に延在するように構成された基台と、
前記基台上に前記軸方向に沿って複数配置され、前記桁ウェブと前記桁フランジと前記リブとを保持する保持部と、を備え、
前記保持部は、
前記軸方向に沿って移動するように構成されるとともに前記基台に固定される架台と、
前記架台に前記軸方向に直角に取り付けられた面板と、
前記桁ウェブ及び前記桁フランジを前記架台に位置決めして固定する第１の位置決め固定手段と、
前記リブを前記面板に位置決めして固定する第２の位置決め固定手段と、
を有することを特徴とする翼桁組立治具。
【請求項２】
前記架台は、
前記軸方向に対して直角方向に延在する横部材と、
前記軸方向に沿って移動する移動手段を介して前記基台に取り付けられ、前記横部材を支持する縦部材と、
を有することを特徴とする請求項１に記載の翼桁組立治具。
【請求項３】
前記第１の位置決め固定手段は、
前記横部材の上面から突出するように形成され、前記桁ウェブに穿設された位置決め用の孔を嵌合させる凸状位置決め部と、
前記横部材の上に前記軸方向に直角にかつ水平に移動するように構成され、前記桁ウェブの幅方向両端部の位置決め及び固定を行うとともに、前記桁フランジの位置決め及び固定を行う移動式位置決め固定部と、
を有することを特徴とする請求項２に記載の翼桁組立治具。
【請求項４】
前記第２の位置決め固定手段は、
前記面板に穿設されたリブ位置決め固定孔と、
前記リブ位置決め固定孔と前記リブに穿設された位置決め及び固定用の孔とに挿通されるピンボルトと、
前記ピンボルトに螺嵌されるナットと、
を有することを特徴とする請求項１から３の何れか一項に記載の翼桁組立治具。
【請求項５】
前記リブ位置決め固定孔は、
挿通されたピンボルトの上下方向の移動を許容するような縦長形状とされ、
前記第２の位置決め固定手段は、
前記リブ位置決め固定孔及び前記ピンボルトによって案内される前記リブの上下方向の位置を調整するリブ高さ調整手段をさらに有することを特徴とする請求項４に記載の翼桁組立治具。
【発明の詳細な説明】
【技術分野】
【０００１】
本発明は、翼桁組立治具に関する。
【背景技術】
【０００２】
現在、複数の部品から構成される翼桁を組み立てる際に、各部品を所望の位置に保持するための組立治具が使用されている。従来は、翼桁の種類が少ない場合に、部品の誤用を回避するために組立治具を共用せずに、翼桁の種類毎に専用の組立治具を製作して使用に供していた。
【０００３】
しかし、翼桁の種類が多い場合には、多くの組立治具を製作する必要があるため治具製作費が嵩む上に、多くの組立治具を保管するために広いスペースを確保する必要が生じていた。また、同時期に異なる翼桁を組み立てる場合においては、多くの組立治具を一挙に配置するための広い作業面積を確保する必要があった。
【０００４】
このような問題を解決するために、部品の一部を挟圧して保持する挟圧保持機構と、この挟圧保持機構を移動させて所定の位置に位置決めする位置決め機構と、を有する保持位置決め機構と、この保持位置決め機構を自動的に制御する制御装置と、を備える組立治具装置が提案されている（例えば、特許文献１参照。）。かかる組立治具装置を採用すると、一の装置で多種類の翼桁の組立を行うことが可能となる。
【特許文献１】特開２００１−３００８２３号公報（第２頁、第４図）
【発明の開示】
【発明が解決しようとする課題】
【０００５】
しかし、前記した組立治具装置は、航空機の垂直尾翼前桁のような簡素な翼桁を組み立てるための治具としては余りに大掛かりとなり、その製作費がきわめて大きくなるという問題がある。
【０００６】
本発明の課題は、複数の類似形状の翼桁を組み立てる際に有効に利用することができ、治具製作費を格段に低減させることができる翼桁組立治具を提供することである。
【課題を解決するための手段】
【０００７】
以上の課題を解決するために、請求項１に記載の発明は、長尺狭幅薄板状の桁ウェブと、この桁ウェブの幅方向両端部に取り付けられる桁フランジと、前記桁ウェブの一方の面にウェブ長手方向に沿って所定の間隔をおいて複数取り付けられるリブと、を有する翼桁を組み立てるための翼桁組立治具において、所定の軸方向に直線状に延在するように構成された基台と、前記基台上に前記軸方向に沿って複数配置され、前記桁ウェブと前記桁フランジと前記リブとを保持する保持部と、を備え、前記保持部は、前記軸方向に沿って移動するように構成されるとともに前記基台に固定される架台と、前記架台に前記軸方向に直角に取り付けられた面板と、前記桁ウェブ及び前記桁フランジを前記架台に位置決めして固定する第１の位置決め固定手段と、前記リブを前記面板に位置決めして固定する第２の位置決め固定手段と、を有することを特徴とする。
【０００８】
請求項１に記載の発明によれば、翼桁組立治具は、所定の軸方向に略直線状に延在するように構成された基台と、この基台上に軸方向に沿って複数配置され、桁ウェブと桁フランジとリブとを保持する保持部と、を備えている。そして、保持部は、軸方向に沿って移動するように構成されるとともに基台に固定される架台と、この架台に取り付けられた面板と、桁ウェブ及び桁フランジを架台に位置決めして固定する第１の位置決め固定手段と、リブを面板に位置決めして固定する第２の位置決め固定手段と、を有している。
【０００９】
従って、各保持部に、寸法の異なる類似形状の桁ウェブ、桁フランジ及びリブを配置し、位置決めした上で固定することができる。そして、このように固定された桁ウェブに桁フランジ及びリブを固定することにより、翼桁を組み立てることができる。この結果、一台の簡易な構成を有する組立治具で、複数の類似形状の翼桁を組み立てることができるので、治具製作費を格段に低減させることができる。また、治具の保管スペースを格段に低減させることができる。
【００１０】
請求項２に記載の発明は、請求項１に記載の翼桁組立治具において、前記架台は、前記軸方向に対して直角方向に延在する横部材と、前記軸方向に沿って移動する移動手段を介して前記基台に取り付けられ、前記横部材を支持する縦部材と、を有することを特徴とする。
【００１１】
請求項２に記載の発明によれば、保持部の架台を構成する縦部材が、軸方向に沿って移動するように基台に取り付けられているので、組立予定の翼桁の形状に対応するように保持部の軸方向位置を調整することができる。
【００１２】
請求項３に記載の発明は、請求項２に記載の翼桁組立治具において、前記第１の位置決め固定手段は、前記横部材の上面から突出するように形成され、前記桁ウェブに穿設された位置決め用の孔を嵌合させる凸状位置決め部と、前記横部材の上に前記軸方向に直角にかつ水平に移動するように構成され、前記桁ウェブの幅方向両端部の位置決め及び固定を行うとともに、前記桁フランジの位置決め及び固定を行う移動式位置決め固定部と、を有することを特徴とする。
【００１３】
請求項３に記載の発明によれば、凸状位置決め部を、桁ウェブに穿設された位置決め用の孔に嵌合させることにより、架台上に載置された桁ウェブの位置決めを行うことができる。そして、横部材の上に軸方向に直角にかつ水平に移動するように構成された移動式位置決め固定部を用いて、寸法の異なる類似形状の桁ウェブ及び桁フランジの位置決め及び固定を行うことができる。
【００１４】
請求項４に記載の発明は、請求項１から３の何れか一項に記載の翼桁組立治具において、前記第２の位置決め固定手段は、前記面板に穿設されたリブ位置決め固定孔と、前記リブ位置決め固定孔と前記リブに穿設された位置決め及び固定用の孔とに挿通されるピンボルトと、前記ピンボルトに螺嵌されるナットと、を有することを特徴とする。
【００１５】
請求項４に記載の発明によれば、面板に穿設されたリブ位置決め固定孔と、リブに穿設された位置決め及び固定用の孔と、を重ね合わせ、これらリブ位置決め固定孔とリブの位置決め及び固定用の孔とにピンボルトを挿通させ、このピンボルトにナットを螺嵌することにより、面板に対するリブの位置決め及び固定を行うことができる。この際、寸法の異なる類似形状のリブに対応させて、面板に複数のリブ位置決め固定孔を穿設することにより、複数のリブの位置決め及び固定を行うことができる。
【００１６】
請求項５に記載の発明は、請求項４に記載の翼桁組立治具において、前記リブ位置決め固定孔は、挿通されたピンボルトの上下方向の移動を許容するような縦長形状とされ、前記第２の位置決め固定手段は、前記リブ位置決め固定孔及び前記ピンボルトによって案内される前記リブの上下方向の位置を調整するリブ高さ調整手段をさらに有することを特徴とする。
【００１７】
請求項５に記載の発明によれば、リブ位置決め固定孔は、挿通されたピンボルトの上下方向の移動を許容するような縦長形状とされている。また、これらリブ位置決め固定孔及びピンボルトによって案内されるリブの上下方向の位置を調整するリブ高さ調整手段を有している。従って、ピンボルト及びナットを用いてリブを面板に取り付けた後、リブ高さ調整手段を用いてリブの高さ（上下方向の位置）の調整を行い、その後、ナットを締めてリブを固定することができる。この結果、リブの位置の微調整が可能となる。
【発明の効果】
【００１８】
本発明によれば、組立治具の保持部は、架台と、この架台に取り付けられた面板と、寸法の異なる類似形状の桁ウェブ及び桁フランジを架台に位置決めして固定する手段と、寸法の異なる類似形状のリブを面板に位置決めして固定する手段と、を有するので、各保持部に、寸法の異なる類似形状の桁ウェブ、桁フランジ及びリブを配置し、位置決めした上で固定することができる。そして、このように固定された桁ウェブに桁フランジ及びリブを固定することにより、翼桁を組み立てることができる。この結果、一台の簡易な構成を有する組立治具で、複数の類似形状の翼桁を組み立てることができるので、治具製作費を格段に低減させることができる。
【発明を実施するための最良の形態】
【００１９】
以下、本発明の実施の形態を、図を用いて詳細に説明する。なお、本実施の形態においては、図１に示すように、長尺狭幅薄板状の桁ウェブＷと、この桁ウェブＷの幅方向両端部に取り付けられる桁フランジＦと、桁ウェブＷの一方の面に長手方向に沿って所定の間隔をおいて複数取り付けられるリブＲと、を有する航空機の垂直尾翼前桁を組み立てるための翼桁組立治具１を例に挙げて説明することとする。
【００２０】
まず、本実施の形態に係る翼桁組立治具１の構成について説明する。
【００２１】
翼桁組立治具１は、図１に示すように、所定の軸方向（図１のＸ軸方向）に直線状に延在するように構成された基台１０と、この基台上にＸ軸方向に沿って複数配置され、桁ウェブＷの一部と桁フランジＦの一部とリブＲとを保持する部品保持部２０と、を備えて構成されている。
【００２２】
基台１０は、図１に示すように、様々な長さの柱状部材から構成され、平面視でＸ軸方向に延在するように配置された長尺矩形枠状の下方構造体１１と、この下方構造体１１の上方に配置され固定された梯子状の上方構造体１２と、を備えている。
【００２３】
下方構造体１１を構成する長尺柱状部の長手方向両端部及び中央部には、図１に示すように、基台１０の高さや傾きを調整する調整具１３が設けられている。また、上方構造体１２の上面には、図１及び図２（ａ）に示すように、Ｘ軸方向に延在するガイドレール１４が設けられており、部品保持部２０のスライドレール２１ｃ（後述）をこのガイドレール１４に嵌合させることにより、部品保持部２０をＸ軸方向に移動させる。
【００２４】
部品保持部２０は、本発明における保持部であり、図１に示すように、Ｘ軸方向に沿って基台１０に４つ配置されている。部品保持部２０は、図１及び図２（ａ）、（ｂ）に示すように、桁ウェブＷを載置させる架台２１と、架台２１に対してＸ軸方向に所定の間隔をおいて配置された状態で架台２１に取付部材２３を介してＸ軸に垂直に取り付けられた面板２２と、を有している。
【００２５】
なお、本実施の形態においては、Ｘ軸方向一端側（図１の手前側）から順に並べられた３つの部品保持部２０と、Ｘ軸方向他端側（図１の奥側）の１つの部品保持部２０と、を反対向きに配置している。また、本実施の形態においては部品保持部２０を４つ設けているが、部品保持部２０の個数は特に限定されるものではなく、必要に応じて適宜変更することができる。
【００２６】
架台２１は、図１及び図２（ａ）に示すように、Ｘ軸方向に対して直角方向にかつ水平方向に延在するように配置された水平柱状部２１ａと、基台１０の上方構造体１２に取り付けられ、水平柱状部２１ａを下方から支持する２本の垂直柱状部２１ｂと、を有している。水平柱状部２１ａは本発明における横部材であり、垂直柱状部２１ｂは本発明における縦部材である。
【００２７】
Ｘ軸方向一端側に配置された部品保持部２０においては、図１に示すように、架台２１が基台１０の上方構造物１２に固定されている。一方、残り３つの部品保持部２０においては、図２（ａ）に示すように、架台２１の垂直柱状部２１ｂの下部にスライドレール２１ｃが設けられている。このスライドレール２１ｃを基台１０のガイドレール１４に嵌合させることにより、３つの部品保持部２０は基台１０のＸ軸方向に移動可能とされる。
【００２８】
架台２１の水平柱状部２１ａの長手方向中央部には、図１及び図２（ｂ）に示すように、断面逆Ｌ字状部材２１ｄが固定されている。そして、この断面逆Ｌ字状部材２１ｄの上部には、図１及び図２（ａ）、（ｂ）に示すような凸状位置決め部２１ｅが設けられている。桁ウェブＷに穿設された（図示されていない）位置決め用の孔をこの凸状位置決め部２１ｅに嵌合させることにより、桁ウェブＷを架台２１に対して位置決めすることができる。
【００２９】
また、架台２１の水平柱状部２１ａの上面には、図１及び図２（ｂ）に示すように、凸状位置決め部２１ｅ近傍から長手方向両端部へと延在するガイドレール２１ｆが設けられている。そして、ガイドレール２１ｆにはスライドレール２１ｇが嵌合されており、スライドレール２１ｇの上面には断面逆Ｌ字状部材２１ｈが固定されている。
【００３０】
また、断面逆Ｌ字状部材２１ｈの上面には、図１及び図２（ａ）に示すような垂直板２１ｉが立設され、この垂直板２１ｉの上部には、桁ウェブＷの幅方向両端部を上方から押圧して固定するウェブ面押え部材２１ｊがネジ止めされている。また、断面逆Ｌ字状部材２１ｈの上面に立設された垂直板２１ｉには、図１及び図２（ａ）に示すように、桁ウェブＷの幅方向両端部に配置される桁フランジＦの位置決めを行うフランジ位置決め部材２１ｋが、Ｘ軸方向に延在する軸回りに回動自在に軸支されている。
【００３１】
ウェブ面押え部材２１ｊ及びフランジ位置決め部材２１ｋは、垂直板２１ｉ及び断面逆Ｌ字状部材２１ｈを介して、スライドレール２１ｇに固定されているため、水平柱状部２１ａの長手方向に沿って移動可能とされる。なお、図２（ｂ）においては、垂直板２１ｉ、ウェブ面押え部材２１ｊ及びフランジ位置決め部材２１ｋの図示を省略している。
【００３２】
これらガイドレール２１ｆ、スライドレール２１ｇ、断面逆Ｌ字状部材２１ｈ、垂直板２１ｉ、ウェブ面押え部材２１ｊ及びフランジ位置決め部材２１ｋは、本発明における移動式位置決め固定部を構成する。また、凸状位置決め部２１ｅと、移動式位置決め固定部を構成する前記部材群と、により本発明における第１の位置決め固定手段が構成される。また、本実施の形態においては、図５（ｂ）に示すように、ロケータ組立体２０の面板２２から凸状位置決め部２１ｅまでの距離をｈ（一定値）に設定している。
【００３３】
面板２２は、図２（ａ）に示すように、リブＲの位置決め及び固定のために穿設されたリブ位置決め固定孔２２ａを有している。リブ位置決め固定孔２２ａは、図５（ａ）に示すように、上下方向に長くされた長円形状を呈しており、リブＲに穿設された孔Ｒ1及び孔Ｒ2に各々対応させて穿設される。また、寸法の異なる類似形状の複数のリブＲを固定するために、図２（ａ）及び図５（ａ）に示すようにリブ位置決め固定孔２２ａの位置を分散させている。
【００３４】
なお、面板２２におけるリブ位置決め固定孔２２ａの穿設位置を、各部品保持部２０毎に変更することもできるが、類似形状の他のリブＲを固定する際に共用できるような穿設位置を選定するのが好ましい。
【００３５】
面板２２に平行にリブＲを配置し、リブＲの孔Ｒ1（Ｒ2）と、面板２２に穿設されたリブ位置決め固定孔２２ａと、を重ね合わせ、図２（ｃ）に示すようにこれら孔Ｒ1（Ｒ2）及びリブ位置決め固定孔２２ａにピンボルトＰを挿入し、このピンボルトＰの雄ネジ部にナットＮを螺嵌することにより、リブＲを面板２２に取り付けることができる。
【００３６】
また、面板２２には、取り付けられたリブＲの上下方向の位置を調整するリブ高さ調整手段が設けられている。このリブ高さ調整手段は、図２（ａ）に示すように、面板２２の下方に着脱自在に固定される断面Ｌ字状部材２２ｂと、この断面Ｌ字状部材２２ｂの下方に昇降自在に螺合されたネジ２２ｃと、から構成されている。
【００３７】
面板２２には、図２（ａ）に示すように、断面Ｌ字状部材２２ｂの固定位置を変更させるための雌ネジ２２ｄが穿設されている。断面Ｌ字状部材２２ｂに穿設された孔と、この雌ネジ２２ｄと、を重ね合わせて雄ネジを螺入することにより、面板２２に断面Ｌ字状部材２２ｂを固定することができる。また、ネジ２２ｃの上端部は、図２（ａ）に示すように、リブＲのフランジ部に当接し、当接による損傷を防止するため、保護材で被覆されている。
【００３８】
なお、面板２２に穿設されたリブ位置決め固定孔２２ａと、リブ位置決め固定孔２２ａとリブＲに穿設された位置決め及び固定用の孔Ｒ1、Ｒ2とに挿通されるピンボルトＰと、ピンボルトＰに螺嵌されるナットＮと、リブ高さ調整手段（断面Ｌ字状部材２２ｂ及びネジ２２ｃ）と、によって本発明における第２の位置決め固定手段が構成される。
【００３９】
次に、本実施の形態に係る翼桁組立治具１を用いて、航空機の翼桁を組み立てる方法（翼桁組立方法）について説明する。
【００４０】
まず、翼桁を構成する桁ウェブＷに（図示されていない）位置決め用の孔を穿設するとともに、各リブＲに位置決め及び固定用の孔Ｒ1、Ｒ2を穿設する（孔穿設工程）。孔Ｒ1は、リブＲの仮想中心線ＣRで隔てられる左側の面の上部に穿設される孔であり、孔Ｒ2は、リブＲの仮想中心線ＣRで隔てられる右側の面の中央部に穿設される孔である（図５（ａ）参照）。
【００４１】
次いで、各部品保持部２０の架台２１の上方に桁ウェブＷを載置するとともに、桁ウェブＷの幅方向両端部に桁フランジＦを配置し、第１の位置決め固定手段を用いて、桁ウェブＷ及び桁フランジＦを架台２１に対して位置決めするとともに固定する（第１の位置決め固定工程）。
【００４２】
この第１の位置決め固定工程について具体的に説明する。最初に、架台２１の水平柱状部２１ａ上に移動自在に設けられたウェブ面押え部材２１ｊ及びフランジ位置決め部材２１ｋを、水平柱状部２１ａの長手方向両端部に移動させる。そして、桁ウェブＷを架台２１の水平柱状部２１ａ上に載置し、桁ウェブＷに穿設された（図示されていない）位置決め用の孔を、水平柱状部２１ａに設けられた凸状位置決め部２１ｅに嵌合させることにより、桁ウェブＷを架台２１に対して位置決めする。
【００４３】
次いで、桁ウェブＷの幅方向両端部に桁フランジＦを配置した上で、水平柱状部２１ａの長手方向両端部に配置していたウェブ面押え部材２１ｊ及びフランジ位置決め部材２１ｋを、水平柱状部２１ａの長手方向中央部側（桁ウェブＷ及び桁フランジＦ側）に向けて移動させる。そして、フランジ位置決め部材２１ｋを用いて桁フランジＦの位置決めを行うとともに、ウェブ面押え部材２１ｊを用いて桁ウェブＷの幅方向両端部の位置決め及び固定を行う（図２（ａ）、図３及び図４参照）。
【００４４】
次いで、各部品保持部２０の面板２２に平行に各リブＲを配置し、第２の位置決め固定手段を用いて、面板２２に対するリブＲの位置決め及び固定を行う（第２の位置決め固定工程）。
【００４５】
この第２の位置決め固定工程について具体的に説明する。最初に、リブＲの孔Ｒ1（Ｒ2）と、面板２２に穿設されたリブ位置決め固定孔２２ａと、を重ね合わせ、図２（ｃ）に示すようにこれら孔Ｒ1（Ｒ2）及びリブ位置決め固定孔２２ａにピンボルトＰを挿入し、このピンボルトＰの雄ネジ部にナットＮを螺嵌することにより、リブＲを面板２２に取り付ける。
【００４６】
この際、複数のリブ位置決め固定孔２２ａの中から、各リブＲに穿設された孔Ｒ1、Ｒ2の位置に対応する孔を選択して重ね合わせるようにする。例えば、図２（ａ）の斜線で示した位置に孔Ｒ1、Ｒ2が穿設された比較的大きい面積を有するリブＲを固定する場合には、最も左側に位置するリブ位置決め固定孔２２ａを孔Ｒ1に、最も右側に位置するリブ位置決め固定孔２２ａを孔Ｒ2に、各々重ね合せる。
【００４７】
また、図３の斜線で示した位置に孔Ｒ1、Ｒ2が穿設された中程度の面積を有するリブＲを固定する場合には、左から２番目に位置するリブ位置決め固定孔２２ａを孔Ｒ1に、右から２番目に位置するリブ位置決め固定孔２２ａを孔Ｒ2に、各々重ね合せる。また、図４の斜線で示した位置に孔Ｒ1、Ｒ2が穿設された比較的小さい面積を有するリブＲを固定する場合には、左側の面の最も中央寄りのリブ位置決め固定孔２２ａを孔Ｒ1に、右側の面の最も中央寄りのリブ位置決め固定孔２２ａを孔Ｒ2に、各々重ね合せる。
【００４８】
なお、本実施の形態においては、各リブＲの仮想中心線ＣRの左右方向における位置を、架台２１の水平柱状部２１ａに設けられた凸状位置決め部２１ｅの位置に一致させるように設定している（図２（ａ）、図３、図４及び図５（ａ）参照）。この結果、各リブＲの寸法が異なっていても、各リブＲの仮想中心線ＣRが同一平面内に含まれることとなり、各リブＲの中央合わせ（センタリング）を実現させることができる。
【００４９】
その後、各リブＲの大きさに合わせて断面Ｌ字状部材２２ｂの固定位置を変更することにより、断面Ｌ字状部材２２ｂの下方に螺合されたネジ２２ｃの上端部を、各リブＲの下方のフランジ部に当接させる（図２（ａ）、図３及び図４参照）。そして、ネジ２２ｃを回転させて上方に移動させることにより、各リブＲを上方に押し上げる。リブ位置決め固定孔２２ａは、図５（ａ）に示すように、挿通されたピンボルトＰの上下方向の移動を許容するような長円形状とされているため、各リブＲは、リブ位置決め固定孔２２ａ及びピンボルトＰによって案内されて上方に移動する。この後、リブＲが所定の位置に達した時点でナットＮを締め付けることにより、リブＲを面板２２に対して位置決めするとともに固定する。
【００５０】
続いて、第１及び第２の位置決め固定工程を経て各部品保持部２０に位置決めされ固定された桁ウェブＷに、リベット等を用いて桁フランジＦ及び各リブＲを固定することにより、翼桁を組み立てる（組立工程）。
【００５１】
以上説明した実施の形態に係る翼桁組立治具１は、Ｘ軸方向に直線状に延在するように構成された基台１０と、この基台１０上にＸ軸方向に沿って複数配置され、桁ウェブＷの一部と桁フランジＦの一部とリブＲとを保持する部品保持部２０と、を備えている。そして、部品保持部２０は、架台２１と、この架台２１に取り付けられた面板２２と、寸法の異なる類似形状の桁ウェブＷ及び桁フランジＦを架台２１に対して位置決めするとともに固定する第１の位置決め固定手段（凸状位置決め部２１ｅ、ガイドレール２１ｆ、スライドレール２１ｇ、断面逆Ｌ字状部材２１ｈ、垂直板２１ｉ、ウェブ面押え部材２１ｊ、フランジ位置決め部材２１ｋ）と、寸法の異なる類似形状のリブＲを面板２２に対して位置決めするとともに固定する第２の位置決め固定手段（リブ位置決め固定孔２２ａ、ピンボルトＰ、ナットＮ、断面Ｌ字状部材２２ｂ、ネジ２２ｃ）と、を有している。
【００５２】
従って、各部品保持部２０に、寸法の異なる類似形状の桁ウェブＷ、桁フランジＦ及びリブＲを配置し、位置決めした上で固定することができる（図２（ａ）、図３及び図４参照）。そして、このように固定された桁ウェブＷに桁フランジＦ及びリブＲを固定することにより、翼桁を組み立てることができる。この結果、一台の簡易な構成を有する組立治具で、複数の類似形状の翼桁を組み立てることができるので、治具製作費を格段に低減させることができる。また、治具の保管スペースを格段に低減させることができる。
【００５３】
また、以上説明した実施の形態に係る翼桁組立治具１においては、３つの部品保持部２０の架台２１を構成する垂直柱状部２１ｂが、Ｘ軸方向に沿って移動するように基台１０に取り付けられているので、組立予定の翼桁の形状に対応するように、これら３つの部品保持部２０の軸方向位置を調整することができる。
【００５４】
また、以上説明した実施の形態に係る翼桁組立治具１においては、各リブＲを位置決めする面板２２から、桁ウェブＷを位置決めする凸状位置決め部２１ｅまでの距離をｈ（一定値）に設定している（図５（ｂ）参照）。このため、各リブＲと桁ウェブＷとのスパン方向（桁ウェブＷの長手方向）における相対的な位置関係を、リブＲ及び桁ウェブＷの寸法にかかわらず統一することができる。
【００５５】
また、以上説明した実施の形態に係る翼桁組立方法においては、各リブＲの仮想中心線ＣRの左右方向における位置を、架台２１の水平柱状部２１ａに設けられた凸状位置決め部２１ｅの位置に一致させている。すなわち、各リブＲの仮想中心線から凸状位置決め部２１ｅまでの距離をゼロ（一定値）に設定している（図５（ａ）参照）。この結果、各リブＲの仮想中心線ＣRが同一平面内に含まれることとなり、各リブＲの中央合わせ（センタリング）を実現させることができる。また、各リブＲと桁ウェブＷとの左右方向（桁ウェブＷの幅方向）における相対的な位置関係を、リブＲ及び桁ウェブＷの寸法にかかわらず統一することができる。
【００５６】
なお、以上の実施の形態においては、第１の位置決め固定手段として、凸状位置決め部２１ｅ及び移動式位置決め固定部（ガイドレール２１ｆ、スライドレール２１ｇ、断面逆Ｌ字状部材２１ｈ、垂直板２１ｉ、ウェブ面押え部材２１ｊ、フランジ位置決め部材２１ｋ）を採用しているが、寸法の異なる類似形状の桁ウェブＷ及び桁フランジＦを架台２１に対して位置決めして固定することができるものであれば、他のいかなる構成を採用してもよい。
【００５７】
また、以上の実施の形態においては、架台２１の水平柱状部２１ａに設けられたガイドレール２１ｆと、このガイドレール２１ｆに嵌合してスライドするスライドレール２１ｇと、スライドレール２１ｇに固定された断面逆Ｌ字状部材２１ｈ及び垂直板２１ｉと、垂直板２１ｉに取り付けられたウェブ面押え部材２１ｊ及びフランジ位置決め部材２１ｋと、によって移動式位置決め固定部を構成した例を示したが、水平柱状部２１ａの長手方向に沿って移動するように構成され、桁ウェブＷの幅方向両端部の位置決め及び固定を行うとともに、桁ウェブＷに対する桁フランジＦの位置決め及び固定を行うものであれば、この構成に限定されるものではない。
【００５８】
また、以上の実施の形態においては、第２の位置決め固定手段として、リブ位置決め固定孔２２ａ、ピンボルトＰ、ナットＮ、リブ高さ調整手段（断面Ｌ字状部材２２ｂ及びネジ２２ｃ）からなる部材群を採用しているが、寸法の異なる類似形状のリブＲを面板２２に対して位置決めして固定することができるものであれば、他のいかなる構成を採用してもよい。
【００５９】
また、以上の実施の形態においては、面板２２に着脱自在に固定される断面Ｌ字状部材２２ｂと、この断面Ｌ字状部材２２ｂの下方に昇降自在に螺合されるネジ２２ｃと、によってリブ高さ調整手段を構成した例を示したが、リブＲの上下方向の位置を調整することができるものであれば、この構成に限定されるものではない。また、リブ高さ調整手段を採用することなく、リブ位置決め固定孔２２ａとリブＲの孔Ｒ1、Ｒ2とにピンボルトＰを挿通してナットＮで締め付けることにより、面板２２に対してリブＲを位置決めして固定することもできる。
【００６０】
また、以上の実施の形態においては、第１の位置決め固定工程に続いて第２の位置決め固定工程を実施した例を示したが、第２の位置決め固定工程を実施した後に、第１の位置決め固定工程を実施してもよい。
【００６１】
また、以上の実施の形態においては、「垂直尾翼前桁」を組み立てるための組立治具に本発明を適用した例を示したが、水平尾翼や主翼の桁を組み立てるための組立治具に本発明を適用することもできる。
【図面の簡単な説明】
【００６２】
【図１】本発明の実施の形態に係る翼桁組立治具の斜視図である。
【図２】（ａ）は図１に示した翼桁組立治具の基台上に設けられた部品保持部の正面図（Ａ−Ａ部分の矢視図）であり、（ｂ）は（ａ）に示した部品保持部を矢印Ｂ方向から見た場合の部分透視図であり、（ｃ）は（ｂ）に示した部品保持部の面板及びこれに固定されたリブを矢印Ｃ方向から見た図である。
【図３】図２に示した部品保持部の面板に寸法の異なる類似形状のリブを固定した状態を示す正面図である。
【図４】同上
【図５】各リブに穿設される位置決め用の孔を説明するための説明図である。
【符号の説明】
【００６３】
１      翼桁組立治具
１０    基台
２０    部品保持部
２１    架台
２１ｅ  凸状位置決め部（第１の位置決め固定手段）
２１ｆ  ガイドレール（第１の位置決め固定手段、移動式位置決め固定部）
２１ｇ  スライドレール（第１の位置決め固定手段、移動式位置決め固定部）
２１ｈ  断面逆Ｌ字状部材（第１の位置決め固定手段、移動式位置決め固定部）
２１ｉ  垂直板（第１の位置決め固定手段、移動式位置決め固定部）
２１ｊ  ウェブ面押え部材（第１の位置決め固定手段、移動式位置決め固定部）
２１ｋ  フランジ位置決め部材（第１の位置決め固定手段、移動式位置決め固定部）
２２    面板
２２ａ  リブ位置決め固定孔（第２の位置決め固定手段）
２２ｂ  断面Ｌ字状部材（第２の位置決め固定手段、リブ高さ調整手段）
２２ｃ  ネジ（第２の位置決め固定手段、リブ高さ調整手段）
Ｆ      桁フランジ
Ｎ      ナット（第２の位置決め固定手段）
Ｐ      ピンボルト（第２の位置決め固定手段）
Ｒ      リブ
Ｒ1    位置決め及び固定用の孔
Ｒ2    位置決め及び固定用の孔
Ｗ      桁ウェブ
【図１】
2005153102.tif 000003
【図２】
2005153102.tif 000004
【図３】
2005153102.tif 000005
【図４】
2005153102.tif 000006
【図５】
2005153102.tif 000007